(57)【要約】【課題】タッチパネル上で認識した座標が、正常入力操作によるものか、異常入力操作によるものかを判断可能にする。【解決手段】２枚の抵抗膜フィルムで構成されるアナログ抵抗膜式タッチパネルＴＰと、タッチパネルのＸ、Ｙ方向の各電極Ｘ１、Ｘ２、Ｙ１、Ｙ２と、Ｘ、Ｙ方向の各電極に対して交互に基準電圧Ｖｃを印加する電子スイッチＳＷｘ１、ＳＷｘ２、ＳＷｙ１、ＳＷｙ２と、電子スイッチとタッチポイント間の電圧を検出してタッチパネルの位置を検出する電圧検出回路ＶＤＣｘ１、ＶＤＣｘ２、ＶＤＣｙ１、ＶＤＣｙ２とから構成され、２枚の抵抗膜フィルムに流れる電流値を計測して、計測された値が規定値以上となった場合に、タッチパネル上の２箇所以上のタッチポイントでタッチされる等の異常入力がなされたと判断するための電流検出回路ＣＤＣｘ、ＣＤＣｙを備える。【選択図】図１
2004295281.tif 000002
【特許請求の範囲】
【請求項１】
一様に抵抗分布して微少間隔をもって張り合わされタッチされることによりタッチポイント（５０）で接触する２枚の抵抗膜フィルム（ＴＰｘ、ＴＰｙ）で構成されるアナログ抵抗膜式タッチパネル（ＴＰ）と、前記タッチパネルのＸ方向、Ｙ方向の各電極（Ｘ１、Ｘ２、Ｙ１、Ｙ２）と、前記Ｘ方向、Ｙ方向の各電極に対して交互に基準電圧（Ｖｃ）を印加する電子スイッチ（ＳＷｘ１、ＳＷｘ２、ＳＷｙ１、ＳＷｙ２）と、前記電子スイッチと前記タッチポイント間の電圧を検出してタッチパネルの位置を検出する電圧検出回路（ＶＤＣｘ１、ＶＤＣｘ２、ＶＤＣｙ１、ＶＤＣｙ２）とから構成され、
前記２枚の抵抗膜フィルムに流れる電流値を計測して、計測された値が規定値以上となった場合に、前記タッチパネル上の２箇所以上のタッチポイントでタッチされ又は面でタッチされたとき異常入力がなされたと判断するための電流検出回路（ＣＤＣｘ、ＣＤＣｙ）を備えたことを特徴とするアナログ抵抗膜式タッチパネルの異常入力検出装置。
【発明の詳細な説明】
【０００１】
【発明の属する技術分野】
本発明は、アナログ抵抗膜式タッチパネルの異常入力検出装置に係り、特にアナログ抵抗膜式タッチパネルを構成する２枚の抵抗膜フィルムに流れる電流値を計測し、それらが規定値以上となった場合には、タッチパネル上の２箇所以上のタッチポイントでタッチされ又は面でタッチされた異常入力がなされたと判断することができるアナログ抵抗膜式タッチパネルの異常入力検出装置に関する。
【０００２】
【従来の技術】
従来から、この種のアナログ抵抗膜式タッチパネルとして、図４（ａ）、（ｂ）、図５に示すような構成のものが知られている。
【０００３】
この４線アナログ抵抗膜式タッチパネルは、一様に抵抗分布した２枚のフィルムＴＰｘ、ＴＰｙが微少間隔をもって張り合わされタッチされることによりこの２枚の抵抗膜フィルムＴＰｘ、ＴＰｙがタッチポイント１００で接触する４線アナログ抵抗膜式タッチパネルＴＰ′と、タッチパネルＴＰ′のＸ方向、Ｙ方向にそれぞれ対峙するように設けられる電極Ｘ１、Ｘ２および電極Ｙ１、Ｙ２と、トランジスタあるいはＦＥＴ（Ｆｉｅｌｄ−Ｅｆｆｅｃｔ  Ｔｒａｎｓｉｓｔｏｒ）等で構成され、Ｘ方向、Ｙ方向の各電極Ｘ１、Ｘ２、Ｙ１、Ｙ２に対して交互に基準電圧Ｖｃを印加する電子スイッチＳＷｘ１０、ＳＷｘ２０、ＳＷｙ１０、ＳＷｙ２０と、電子スイッチＳＷｘ１０、ＳＷｘ２０、ＳＷｙ１０、ＳＷｙ２０とタッチポイント１００間の電圧を検出してタッチパネルＴＰ′の位置検出する電圧検出回路ＶＤＣｘ１０、ＶＤＣｘ２０、ＶＤＣｙ１０、ＶＤＣｙ２０とから構成されている。なお、電極Ｘ１、Ｙ１は、それぞれ電子スイッチＳＷｘ１０、ＳＷｙ１０を介して基準電圧となる電源Ｖｃに接続され、電極Ｘ２、Ｙ２は、それぞれ電子スイッチＳＷｘ２０、ＳＷｙ２０を介して回路アースＧＮＤに接続されている。
【０００４】
このように構成された位置検出回路は、微少間隔をもって張り合わされた２枚の抵抗膜フィルムＴＰｘ、ＴＰｙがタッチされる（押される）ことによりタッチポイント１００で接触すると、電極Ｘ１、Ｘ２間の抵抗値はタッチポイント１００を基点としてＲｘ１、Ｒｘ２に分割され、また、電極Ｙ１、Ｙ２間の抵抗値は、Ｒｙ１、Ｒｙ２に分割される。
【０００５】
この時、抵抗値の比は、下記のように物理的な位置（長さ）の比に等しいという特性を持つ。
【０００６】
Ｌｘ１：Ｌｘ＝Ｒｘ２：（Ｒｘ１＋Ｒｘ２）・・・（１１）
Ｌｙ１：Ｌｙ＝Ｒｙ２：（Ｒｙ１＋Ｒｙ２）・・・（１２）
ここで、Ｌｘ、Ｌｙは、それぞれタッチパネルＴＰ′の有効エリアＥＡのＸ方向寸法、Ｙ方向寸法であり、Ｌｘ１、Ｌｙ１は、それぞれ有効エリアＥＡ端からタッチポイント１００までのＸ方向寸法、Ｙ方向寸法である。
【０００７】
次に、理想的なタッチパネルにおける動作原理について、図５、図６（ａ）、（ｂ）に基づき簡単に説明する。
【０００８】
いま、図５における電子スイッチＳＷｘ１０、ＳＷｘ２０がＯＮ状態、電子スイッチＳＷｙ１０、ＳＷｙ２０がＯＦＦ状態とすると、図６（ａ）のように、電極Ｘ１には電源Ｖｃが、電極Ｘ２には回路アースＧＮＤが接続され、電極Ｙ１、Ｙ２には、電圧検出回路ＶＤＣｘ１０、ＶＤＣｘ２０が接続された状態となる。したがって、電源Ｖｃから電極Ｘ１、タッチポイント１００で分割された抵抗値Ｒｘ１、Ｒｘ２および電極Ｘ２を介して回路アースＧＮＤに電流が流れる。即ち、電圧検出回路ＶＤＣｘ１０、ＶＤＣｘ２０では、抵抗値Ｒｘ１、Ｒｘ２で分割された次なる電圧値Ｖｘ１、Ｖｘ２を検出できる。
【０００９】
Ｖｘ１＝Ｖｘ２＝Ｖｃ×Ｒｘ２／（Ｒｘ１＋Ｒｘ２）・・・（１３）
このように、抵抗値の比は、物理的な長さの比に等しいことから、式（１１）、（１３）より、タッチポイント１００のＸ方向位置Ｌｘ１は電圧値Ｖｘ１を用いて、下記のように記述できる。
【００１０】
Ｌｘ１＝Ｌｘ×Ｖｘ１／Ｖｃ・・・（１４）
同様に、次の時間においては図６（ｂ）のように、電子スイッチＳＷｙ１０、ＳＷｙ２０がＯＮ状態、電子スイッチＳＷｘ１０、ＳＷｘ２０がＯＦＦ状態とすると、電極Ｙ１、Ｙ２方向に電流が流れ、電圧検出回路ＶＤＣｙ１０、ＶＤＣｙ２０では、抵抗値Ｒｙ１、Ｒｙ２で分割された次なる電圧値Ｖｙ１、Ｖｙ２を検出できる。
【００１１】
Ｖｙ１＝Ｖｙ２＝Ｖｃ×Ｒｙ２／（Ｒｙ１＋Ｒｙ２）・・・（１５）
よって、式（１２）、（１５）より、タッチポイント１００のＹ方向位置Ｌｙ１は、電圧値Ｖｙ１を用いて、下記のように記述できる。
【００１２】
Ｌｙ１＝Ｌｙ×Ｖｙ１／Ｖｃ・・・（１６）
したがって、以上のように理想的なタッチパネルの場合には、上記の２つの状態を繰り返し変化させることにより、電圧値Ｖｘ１、Ｖｙ１から式（１４）、（１６）を用いて、タッチポイント１００の座標（Ｌｘ１、Ｌｙ１）を算出・認識することができる。
【００１３】
【特許文献１】特開２００２−２７８６９０号公報（第２頁−４頁、第１図−４図）。
【００１４】
【発明が解決しようとする課題】
このような従来のアナログ抵抗膜式タッチパネルでは、タッチパネルＴＰ′上の２箇所を同時にタッチされた（押された）とすると、このときの抵抗膜フィルムＴＰｘの電極Ｘ１・Ｘ２間の抵抗値は図７（ａ）に示すように、タッチポイント１００Ａ、１００Ｂを基点として、Ｒｘ３、Ｒｘ４、Ｒｘ５に分割される。また、もう一枚の抵抗膜フィルムＴＰｙ上の抵抗値Ｒｙｐが、先のＲｘ４とパラレルに接続される状態となる。即ち、この時、ＤＣ電圧計測ポートＶｘ１、Ｖｘ２では、抵抗値Ｒｙ４のおよそ中点での電圧が計測されることになる。また、Ｙ方向で電圧を計測しても、同様のことが言える。
【００１５】
したがって、タッチパネルＴＰ′上の２箇所を同時にタッチされた（押された）場合には図７（ｂ）のように、実際のタッチポイント１００Ａ、１００Ｂのおよそ中点ＭＰをタッチされたものと誤認識してしまう難点があった。即ち、タッチパネル上の２箇所以上のポイントをタッチされた、あるいは、面でタッチされた、等の異常入力操作時における誤認識した座標であっても、それが正しい入力によって認識した座標なのか、あるいは誤った入力によって認識した座標なのかすら、判別できないため、ＬＣＤ（Ｌｉｑｕｉｄ  Ｃｒｙｓｔａｌ  Ｄｉｓｐｌａｙ）等のディスプレイ機器での操作ボタン表示と連動したタッチパネルシステム等では、誤って目的外の操作ボタンを押してしまう等の誤操作の虞れがあった。
【００１６】
本発明は、このような従来の難点を解決するためになされたもので、認識した座標が、正常入力操作によるものか、異常入力操作によるものかを判断できるアナログ抵抗膜式タッチパネルの異常入力検出装置を提供することを目的とする。
【００１７】
【課題を解決するための手段】
上記目的を達成する本発明のアナログ抵抗膜式タッチパネルの異常入力検出装置は、一様に抵抗分布して微少間隔をもって張り合わされタッチされることによりタッチポイントで接触する２枚の抵抗膜フィルムで構成されるアナログ抵抗膜式タッチパネルと、タッチパネルのＸ方向、Ｙ方向の各電極と、Ｘ方向、Ｙ方向の各電極に対して交互に基準電圧を印加する電子スイッチと、電子スイッチとタッチポイント間の電圧を検出してタッチパネルの位置を検出する電圧検出回路とから構成され、２枚の抵抗膜フィルムに流れる電流値を計測して、計測された値が規定値以上となった場合に、タッチパネル上の２箇所以上のタッチポイントでタッチされ又は面でタッチされたとき異常入力がなされたと判断するための電流検出回路を備えている。
【００１８】
このようなアナログ抵抗膜式タッチパネルの異常入力検出装置によれば、タッチパネル上の２箇所以上のタッチポイントでタッチされ又は面でタッチされた異常入力操作時には、アナログ抵抗膜式タッチパネルを構成する２枚の抵抗膜フィルムに流れる電流値が増加するので、その電流値を電流検出回路で計測することにより正常入力操作によるものか、異常入力操作によるものかを判断できる。
【００１９】
【発明の実態の形態】
以下、本発明のアナログ抵抗膜式タッチパネルの異常入力検出装置による好ましい実施の形態例について図を参照して説明する。
【００２０】
本発明のアナログ抵抗膜式タッチパネルの異常入力検出装置は図１に示すように、一様に抵抗分布した２枚のフィルムＴＰｘ、ＴＰｙ（図４）が微少間隔をもって張り合わされタッチされることによりこの２枚の抵抗膜フィルムＴＰｘ、ＴＰｙがタッチポイント５０で接触する４線アナログ抵抗膜式タッチパネルＴＰと、このタッチパネルＴＰのＸ方向、Ｙ方向にそれぞれ対峙するよように設けられる電極Ｘ１、Ｘ２および電極Ｙ１、Ｙ２と、トランジスタあるいはＦＥＴ等で構成され、Ｘ方向、Ｙ方向の各電極Ｘ１、Ｘ２、Ｙ１、Ｙ２に対して交互に基準電圧Ｖｃを印加する電子スイッチＳＷｘ１、ＳＷｘ２、ＳＷｙ１、ＳＷｙ２と、タッチポイント５０間の電圧を検出してタッチパネルＴＰの位置を検出する電圧検出回路ＶＤＣｘ１、ＶＤＣｘ２、ＶＤＣｙ１、ＶＤＣｙ２とから構成され、さらに、２枚の抵抗膜フィルムＴＰｘ、ＴＰｙに流れる電流値を計測して、計測された値が規定値以上となった場合に、タッチパネルＴＰ上の２箇所以上のタッチポイントでタッチされ又は面でタッチされたとき異常入力がなされたと判断するための電流検出回路ＣＤＣｘ、ＣＤＣｙを備えている。
【００２１】
具体的には、電極Ｙ１は電子スイッチＳＷｙ１に接続され、電子スイッチＳＷｙ１は電流検出回路ＣＤＣｙを介して電源Ｖｃに接続され、電極Ｙ１と電子スイッチＳＷｙ１との接続点には電圧検出回路ＶＤＣｘ１が接続されている。この電極Ｙ１と対になる電極Ｙ２は電子スイッチＳＷｙ２を介して回路アースＧＮＤに接続され、電極Ｙ２と電子スイッチＳＷｙ２との接続点には電圧検出回路ＶＤＣｘ２が接続されている。また、電極Ｘ１は電子スイッチＳＷｘ１に接続され、電子スイッチＳＷｘ１は電流検出回路ＣＤＣｘを介して電源Ｖｃに接続され、電極Ｘ１と電子スイッチＳＷｘ１との接続点には電圧検出回路ＶＤＣｙ１が接続されている。この電極Ｘ１と対になる電極Ｘ２は電子スイッチＳＷｘ２を介して回路アースＧＮＤに接続され、電極Ｘ２と電子スイッチＳＷｘ２との接続点には電圧検出回路ＶＤＣｙ２が接続されている。
【００２２】
このように構成されたアナログ抵抗膜式タッチパネルによる正常入力（１ポイント押）時、異常入力（２箇所以上のタッチポイントでタッチされ又は面でタッチされる）時の動作について説明する。
【００２３】
まず、図１における電子スイッチＳＷｘ１、ＳＷｘ２がＯＮ状態、電子スイッチＳＷｙ１、ＳＷｙ２がＯＦＦ状態とすると、図２（ａ）に示すように、電極Ｘ１には電源Ｖｃが、電極Ｘ２には回路アースＧＮＤが接続され、電極Ｙ１、Ｙ２には、電圧検出回路ＶＤＣｘ１、ＶＤＣｘ２が接続された状態となる。この状態で１箇所のタッチポイント５０で正常入力された場合には、電源Ｖｃから電極Ｘ１、タッチポイント５０で分割された抵抗値Ｒｘ１、Ｒｘ２および電極Ｘ２を介して回路アースＧＮＤに向かうＸ方向で電流が流れる。即ち、電圧検出回路ＶＤＣｘ１、ＶＤＣｘ２では、抵抗値Ｒｘ１、Ｒｘ２で分割された電圧値Ｖｘ１、Ｖｘ２（従来の技術において説明した式（１３））を検出できるところまでは従来通りである。この時、抵抗膜フィルムＴＰｘに流れる電流を検出するための電流検出回路ＣＤＣｘでは、次なる電流を検出できる。
【００２４】
Ｉｘ＝Ｖｃ／（Ｒｘ１＋Ｒｘ２）・・・（１）
なお、従来の技術におけるアナログ抵抗膜式タッチパネルの特性に関する説明で明らかなように、正常入力（１ポイント押）時における、Ｒｘ１＋Ｒｘ２の抵抗値（即ち、電極Ｘ１、Ｘ２間の抵抗値）は、いかなるポイントをタッチされても一定である。即ち、従来の技術において説明した式（１３）により、抵抗膜フィルムＴＰｘに流れる電流Ｉｘも、一定である。
【００２５】
一方、電子スイッチＳＷｘ１、ＳＷｘ２がＯＮ状態、電子スイッチＳＷｙ１、ＳＷｙ２がＯＦＦ状態で、図２（ｂ）に示すように、タッチパネルＴＰ上の２箇所５０Ａ、５０Ｂを同時にタッチして異常入力された場合には、抵抗膜フィルムＴＰｘの抵抗値は、タッチパネルＴＰ上の２点のタッチポイント５０Ａ、５０Ｂを基点として、Ｒｘ３、Ｒｘ４、Ｒｘ５に分割される。前述のように、抵抗膜フィルムＴＰｘの抵抗値は一定であるから、次式が成り立つ。
【００２６】
Ｒｘ３＋Ｒｘ４＋Ｒｘ５＝Ｒｘ１＋Ｒｘ２・・・（２）
ここで、電極Ｘ１・Ｘ２間の抵抗値Ｚを考察する。タッチパネルＴＰ上の２点のタッチポイント５０Ａ、５０Ｂにて２枚の抵抗膜フィルムＴＰｘ、ＴＰｙが接していることから、抵抗膜フィルムＴＰｙ上の抵抗値Ｒｙｐが、抵抗膜フィルムＴＰｘ上の抵抗値Ｒｘ４とパラレルに接続された状態となる。したがって、電極Ｘ１・Ｘ２間の抵抗値Ｚ、すなわちＲｘ３、Ｒｘ４、Ｒｘ５およびＲｙｐの合成抵抗Ｚと、抵抗膜フィルムＴＰｘの抵抗値Ｒｘ１＋Ｒｘ２を比較した場合には、次式が成り立つ。
【００２７】
Ｒｘ３、Ｒｘ４、Ｒｘ５、Ｒｙｐの合成抵抗Ｚ≦Ｒｘ１＋Ｒｘ２・・・（３）
したがって、電流検出回路ＣＤＣｘにて検出される電流値Ｉｘ＃は、式（１）、（２）、（３）から、次のように導くことができる。
【００２８】
Ｉｘ♯≧Ｉｘ・・・（４）
ここまでは、タッチパネルＴＰ上の２点５０Ａ、５０Ｂがタッチされた例として説明したが、タッチパネルＴＰ上の２箇所以上のポイントをタッチされ又は面でタッチされた異常入力時においても、すべて式（４）が成り立つことになる。
【００２９】
次に、図１における電子スイッチＳＷｘ１、ＳＷｘ２がＯＦＦ状態、電子スイッチＳＷｙ１、ＳＷｙ２がＯＮ状態とすると、図３（ａ）に示すように、電極Ｙ１には電源Ｖｃが、電極Ｙ２には回路アースＧＮＤが接続され、電極Ｘ１、Ｘ２には、電圧検出回路ＶＤＣｙ１、ＶＤＣｙ２が接続された状態となる。この状態で１箇所のタッチポイント５０で正常入力された場合には、電源Ｖｃから電極Ｙ１、タッチポイント５０で分割された抵抗値Ｒｙ１、Ｒｙ２および電極Ｙ２を介して回路アースＧＮＤに向かうＹ方向で電流が流れる。即ち、電圧検出回路ＶＤＣｙ１、ＶＤＣｙ２では、抵抗値Ｒｙ１、Ｒｙ２で分割された電圧値Ｖｙ１、Ｖｙ２を検出でき、また、この時、抵抗膜フィルムＴＰｙに流れる電流を検出するための電流検出回路ＣＤＣｙでは、次なる電流を検出できる。
【００３０】
Ｉｙ＝Ｖｃ／（Ｒｙ１＋Ｒｙ２）・・・（５）
なお、正常入力（１ポイント押）時における、Ｒｘ１＋Ｒｘ２の抵抗値（即ち、電極Ｘ１、Ｘ２間の抵抗値）と同様に、正常入力（１ポイント押）時における、Ｒｙ１＋Ｒｙ２の抵抗値（すなわち電極Ｙ１、Ｙ２間の抵抗値）は、いかなるポイントをタッチされても一定である。即ち、抵抗膜フィルムＴＰｙに流れる電流Ｉｙも、一定である。
【００３１】
一方、電子スイッチＳＷｘ１、ＳＷｘ２がＯＦＦ状態、電子スイッチＳＷｙ１、ＳＷｙ２がＯＮ状態で、図３（ｂ）に示すように、タッチパネルＴＰ上の２箇所５０Ｃ、５０Ｄを同時にタッチして異常入力された場合には、抵抗膜フィルムＴＰｙの抵抗値は、タッチパネルＴＰ上の２点のタッチポイント５０Ｃ、５０Ｄを基点として、Ｒｙ３、Ｒｙ４、Ｒｙ５に分割される。前述のように、抵抗膜フィルムＴＰｙの抵抗値は一定であるから、次式が成り立つ。
【００３２】
Ｒｙ３＋Ｒｙ４＋Ｒｙ５＝Ｒｙ１＋Ｒｙ２・・・（６）
また、電極Ｙ１・Ｙ２間の抵抗値Ｚは電極Ｘ１・Ｘ２間の抵抗値Ｚと同様に、タッチパネルＴＰ上の２点のタッチポイント５０Ｃ、５０Ｄにて２枚の抵抗膜フィルムＴＰｘ、ＴＰｙが接していることから、抵抗膜フィルムＴＰｘ上の抵抗値Ｒｘｐが、抵抗膜フィルムＴＰｙ上の抵抗値Ｒｙ４とパラレルに接続された状態となる。したがって、電極Ｙ１・Ｙ２間の抵抗値Ｚ、すなわちＲｙ３、Ｒｙ４、Ｒｙ５およびＲｘｐの合成抵抗Ｚと、抵抗膜フィルムＴＰｙの抵抗値Ｒｙ１＋Ｒｙ２を比較した場合には、次式が成り立つ。
【００３３】
Ｒｙ３、Ｒｙ４、Ｒｙ５、Ｒｘｐの合成抵抗Ｚ≦Ｒｙ１＋Ｒｙ２・・・（７）
したがって、電流検出回路ＣＤＣｙにて検出される電流値Ｉｙ＃は、式（５）、（６）、（７）から、次のように導くことができる。
【００３４】
Ｉｙ♯≧Ｉｙ・・・（８）
このように、アナログ抵抗膜式タッチパネルへの入力操作が異常入力操作（２箇所以上のタッチポイントでタッチされ又は面でタッチされた）の場合には、電流検出回路ＣＤＣｘ、ＣＤＣｙで検出される電流値が正常入力（１ポイント押）時よりも増加するので、正常入力なのか異常入力なのかを正確に測定できる。
【００３５】
【発明の効果】
以上の説明から明らかなように、本発明のアナログ抵抗膜式タッチパネルの異常入力検出装置によれば、タッチパネル上の２箇所以上のタッチポイントでタッチされ又は面でタッチされた異常入力操作時には、アナログ抵抗膜式タッチパネルを構成する２枚の抵抗膜フィルムに流れる電流値が増加し、その電流値を電流検出回路で検出できるので、異常入力が行われたと判断できるようになる。
【図面の簡単な説明】
【図１】本発明のアナログ抵抗膜式タッチパネルの異常入力検出装置における好ましい実施の形態例を示す概念図。
【図２】本発明のアナログ抵抗膜式タッチパネルの異常入力検出装置の動作原理を示す図で、（ａ）はタッチパネルのＸ方向における正常入力検出の説明図、（ｂ）はタッチパネルのＸ方向における異常入力検出の説明図。
【図３】本発明のアナログ抵抗膜式タッチパネルの異常入力検出装置の動作原理を示す図で、（ａ）はタッチパネルのＹ方向における正常入力検出の説明図、（ｂ）はタッチパネルのＹ方向における異常入力検出の説明図。
【図４】アナログ抵抗膜式タッチパネルの位置検出回路を示す図で、（ａ）は構造図、（ｂ）は概念図。
【図５】従来のアナログ抵抗膜式タッチパネルの位置検出回路を示す概念図。
【図６】従来のアナログ抵抗膜式タッチパネルの位置検出回路の動作原理を示す図で、（ａ）はタッチパネルのＸ方向における位置検出の説明図、（ｂ）はタッチパネルのＹ方向における位置検出の説明図。
【図７】従来のアナログ抵抗膜式タッチパネルの位置検出回路の異常入力操作時を示す図で、（ａ）は電圧計測原理の説明図、（ｂ）は電圧検出位置の説明図。
【符号の説明】
５０・・・・・タッチポイント
ＴＰ・・・・・アナログ抵抗膜式タッチパネル
ＴＰｘ、ＴＰｙ・・・・・２枚の抵抗膜フィルム
Ｘ１、Ｘ２・・・・・タッチパネルのＸ方向の電極
Ｙ１、Ｙ２・・・・・タッチパネルのＹ方向の電極
ＳＷｘ１、ＳＷｘ２、ＳＷｙ１、ＳＷｙ２・・・・・電子スイッチ
Ｖｃ・・・・・基準電圧
Ｖｘ、Ｖｙ・・・・・電圧検出回路
Ａｘ、Ａｙ・・・・・電流検出回路
【図１】
2004295281.tif 000003
【図２】
2004295281.tif 000004
【図３】
2004295281.tif 000005
【図４】
2004295281.tif 000006
【図５】
2004295281.tif 000007
【図６】
2004295281.tif 000008
【図７】
2004295281.tif 000009